(57)【要約】      （修正有）【課題】天気予報を利用して地図上に旅程を生成する方法、装置、システム、及びコンピュータ読取り可能媒体を提供する。【解決手段】サーバが、ユーザ又は装置から地図要求を受信することができる。要求は出発地及び目的地を含むことができる。地図要求を受信するのに応答して、サーバは、表示装置に表示するのに適する可能性がある地図データを取得することができる。地図データは、出発地と目的地の間に描画される経路を含むことができる。サーバは、経路に沿った１つ又は複数の主要地点に関連付けられた天気予報をさらに取得することができる。その天気予報に基づいて、サーバは、経路上の主要地点に関連付けられた少なくとも１つの天気予報を表す視覚的標識を含むように地図データに変更を加えることができる。サーバは、変更後の地図データをコンピューティング装置に出力して、ユーザに表示することができる。【選択図】図５ａ
2019003184.tif 000002
【特許請求の範囲】
【請求項１】
天気予報を含む、地上ナビゲーション用の地図を生成するための、コンピュータによって実施される方法であって、
出発地及び目的地を示す地図要求をナビゲーション装置で受信するステップと、
前記地図要求を受信するのに応答して前記出発地及び前記目的地の間の経路に関連付けられた地図データを取得するステップと、
前記経路に沿った地点に関連付けられた推定到着時刻を決定するステップと、
複数の降水予報を取得するステップであり、各降水予報は、複数の降水種類のうちの異なる１つが、前記経路に沿った前記地点で前記推定到着時刻に発生する確率を示す、該ステップと、
複数の降水量予報を取得するステップであり、各降水量予報は、複数の降水量のうちの異なる１つが、前記地点で前記推定到着時刻に発生する確率を示す、該ステップと、
前記降水種類が、前記降水量で前記地点で前記推定到着時刻に発生する確率を、前記複数の降水種類のうちの１つ及び前記複数の降水量のうちの１つからなる組毎に示す分布を生成するために、前記複数の降水予報と前記複数の降水量予報とを組み合わせるステップと、
前記分布のうちの少なくとも１つの確率の視覚的標識を含む前記経路の地図を前記ナビゲーション装置の表示装置に表示するステップと、を含む方法。
【請求項２】
前記地図を更新する要求を検出するステップと、
前記地図を更新する要求を検出するのに応答して、
前記ナビゲーション装置の更新された現在の位置を要求するステップと、
前記経路に沿った更新された地点に関連付けられた更新された推定到着時刻を、前記更新された現在の位置に基づいて決定するステップと、
前記降水種類が、前記降水量で前記更新された地点で前記更新された推定到着時刻に発生する確率を、前記複数の降水種類のうちの１つ及び前記複数の降水量のうちの１つからなる組毎に示す更新された分布を生成するステップと、
前記更新された分布の少なくとも１つの確率の視覚的標識を含む変更された前記経路の地図を前記表示装置に表示するステップと、
をさらに含む請求項１に記載の方法。
【請求項３】
前記地図が、前記ナビゲーション装置のローカルに記憶された地図データに基づいて生成される、請求項１に記載の方法。
【請求項４】
前記地図要求を遠隔のサーバに転送するステップと、
前記地図に対応する地図データを前記遠隔のサーバから受信するステップと、をさらに含む、請求項１に記載の方法。
【請求項５】
ユーザの嗜好に基づき、前記地点は市に対応する、請求項１に記載の方法。
【請求項６】
ユーザの嗜好に基づき、前記地点は前記経路に沿った実質的に等距離の複数の地点のうちの１つに対応する、請求項１に記載の方法。
【請求項７】
命令を記憶している非一時的なコンピュータ読取り可能媒体であって、
前記命令は、ディスプレイ装置を有するナビゲーション装置によって実行されたときに、前記ナビゲーション装置に、
出発地及び目的地を示す地図要求を受信させ、
前記地図要求を受信するのに応答して、前記出発地及び前記目的地の間の経路に関連付けられた地図データを取得させ、
前記経路に沿った地点に関連付けられた推定到着時刻を決定させ、
複数の降水予報を取得させ、各降水予報は、複数の降水種類のうちの異なる１つが、前記経路に沿った前記地点で前記推定到着時刻に発生する確率を示し、
複数の降水量予報を取得させ、各降水量予報は、複数の降水量のうちの異なる１つが、前記地点で前記推定到着時刻に発生する確率を示し、
前記降水種類が、前記降水量で前記地点で前記推定到着時刻に発生する確率を、前記複数の降水種類のうちの１つ及び前記複数の降水量のうちの１つからなる組毎に示す分布を生成するために、前記複数の降水予報と前記複数の降水量予報とを組み合わせさせ、
前記分布のうちの少なくとも１つの確率の視覚的標識を含む前記経路の地図を前記ナビゲーション装置のディスプレイ装置に表示させる、
非一時的なコンピュータ読取り可能媒体。
【請求項８】
ユーザの嗜好に基づき、前記地点は市に対応する、請求項７に記載の非一時的なコンピュータ読取り可能媒体。
【請求項９】
ユーザの嗜好に基づき、前記地点は、前記経路に沿った実質的に等距離の複数の地点のうちの１つに対応する、請求項７に記載の非一時的なコンピュータ読取り可能媒体。
【請求項１０】
地上車両ナビゲーション装置であって、
表示装置と、
１つ又は複数のプロセッサと、
命令を含むメモリと、
を備え、
前記命令は、前記１つ又は複数のプロセッサによって実行されたときに、前記地上車両ナビゲーション装置に、
出発地及び目的地を示す地図要求を受信させ、
前記地図要求を受信するのに応答して前記出発地及び前記目的地の間の経路に関連付けられた地図データを取得させ、
前記経路に沿った地点に関連付けられた推定到着時刻を決定させ、
複数の降水予報を取得させ、各降水予報は、複数の降水種類のうちの異なる１つが、前記経路に沿った前記地点で前記推定到着時刻に発生する確率を示し、
複数の降水量予報を取得させ、各降水量予報は、複数の降水量のうちの異なる１つが、前記地点で前記推定到着時刻に発生する確率を示し、
前記降水種類が、前記降水量で前記地点で前記推定到着時刻に発生する確率を、前記複数の降水種類のうちの１つ及び前記複数の降水量のうちの１つからなる組毎に示す分布を生成するために、前記複数の降水予報と前記複数の降水量予報とを組み合わせさせ、
前記分布のうちの少なくとも１つの確率の視覚的標識を含む前記経路の地図を前記表示装置に表示させる、地上車両ナビゲーション装置。
【請求項１１】
前記１つ又は複数のプロセッサが前記メモリ内に記憶された前記命令を実行するときに、前記地上車両ナビゲーション装置は更に、
前記地図を更新する要求を検出させられ、
前記地図を更新する要求を検出するのに応答して、
前記地上車両ナビゲーション装置の更新された現在の位置を受信させられ、
前記経路に沿った更新された地点を取得させられ、
前記経路に沿った前記更新された地点に関連付けられた更新された天気予報を、前記更新された位置に関連付けられた更新された推定到着時刻に基づいて取得させられ、
前記更新された天気予報の第２の視覚的標識を含む変更された地図を前記表示装置に表示させられる、
請求項１０に記載の地上車両ナビゲーション装置。
【請求項１２】
前記地図を生成するために用いられる地図データを記憶する記憶装置を更に備える、請求項１０に記載の地上車両ナビゲーション装置。
【請求項１３】
前記地図要求が遠隔のサーバに転送され、前記地図を生成するために用いられる地図データが前記遠隔のサーバから受信される、請求項１０に記載の地上車両ナビゲーション装置。
【請求項１４】
ユーザの嗜好を記憶する記憶装置を更に備え、前記ユーザの嗜好に基づき、前記地点は市に対応する、請求項１０に記載の地上車両ナビゲーション装置。
【請求項１５】
ユーザの嗜好を記憶する記憶装置を更に備え、前記ユーザの嗜好に基づき、前記地点は前記経路に沿った実質的に等距離の複数の地点のうちの１つに対応する、請求項１０に記載の地上車両ナビゲーション装置。
【発明の詳細な説明】
【関連出願の相互参照】
【０００１】
[0001]本願は、本願の出願人に共有され、共同で発明された、２０１３年４月４日に出願された米国特許出願第１３／８５６，９２３号、２０１３年６月２０日に出願された米国特許出願第１３／９２２，８００号、２０１３年７月２２日に出願された米国特許出願第１３／９４７，３３１号、２０１３年６月２６日に出願された米国仮出願第６１／８３９，６７５号、２０１３年６月１６日に出願された米国仮出願第６１／８３５，６２６号、及び、２０１３年６月１９日に出願された米国仮出願第６１／８３６，７１３号に対する優先権を主張し、それらの全開示内容は参照により本明細書に組み込まれる。
【背景】
【０００２】
［分野］
[0002]本明細書に開示される主題は、一般には、天気予報を決定するシステムに関する。
【関連する従来技術】
【０００３】
[0003]従来の天気予報システムは、現在の時点から１２時間〜数日間の気象予測を提供する。短期間の予報や細かい時間単位の予報を必要とする場合、通常入手できる最良の情報はその日についての１時間単位の予報である。
【０００４】
[0004]従来の天気予報は、その予報が生成される対象地域についての平均的な予報である。そのため、予報は、その地域内の厳密な場所には正確でない場合もあり、さらには、ある地域について表示される現在の天候がその地域内の厳密な場所の実際の天候と異なる場合すらある。
【０００５】
[0005]さらに、従来の天気予報は非常に粗い時間単位で表示されるため、ユーザはある気象事象が厳密な場所と時間のうちいつ発生するかを知ることができない。１時間単位の従来の天気予報でも、ユーザは予想される気象事象が１時間続くのか、１分続くのかを知ることはできず、後者の場合は当該の１時間内でその事象がいつ発生するかを正確に知ることはできない。
【０００６】
[0006]当市場では、ユーザが極端な気象条件を回避する代替経路を取ることを試みられるように、出発地と目的地の間の経路に沿った天候を推定することができる方法が必要とされている。
【概要】
【０００７】
[0007]一実施形態によると、コンピュータによって実施される、地図を生成するための方法が提供され、この方法は、出発地及び目的地を含む地図要求を受信するステップを含む。前記地図要求を受信するのに応答して、上記方法は、表示装置で実装されたとき、出発地と前記目的地の間に描画された経路を含む地図を表示装置に表示させる地図データを取得するステップを含む。上記方法は、経路に沿った１つ又は複数の主要地点の短時間予報を取得するステップと、地図データに変更を加えるステップであって、地図に描画された経路上の各主要地点の短時間予報の１つを表す視覚的標識を追加することを含むステップと、ユーザに表示するために変更後の地図データをコンピューティング装置に出力するステップも含む。
【０００８】
[0008]一実施形態によると、上記方法は、短時間予報を取得するために各主要地点に関連付けられた場所情報をナウキャスターに送信するステップをさらに含む。
【０００９】
[0009]一実施形態によると、上記方法は、主要地点ごとに短時間予報が必要とされる時刻を送信するステップをさらに含む。
【００１０】
[0010]一実施形態によると、時刻を送信するステップは、現在の時刻を送信することを含む。
【００１１】
[0011]一実施形態によると、時刻を送信するステップは、現在の位置を出発したユーザが所与の主要地点に到着する時刻を表す到着時刻を推定することを含む。
【００１２】
[0012]一実施形態によると、到着時刻を推定することは、出発時刻、気象条件、速度制限、現在の速度、及び現在の位置と主要地点との間の距離、の少なくとも１つに基づく。
【００１３】
[0013]一実施形態によると、上記方法は、地図が表示されるコンピューティング装置の現在の位置を表す更新された位置情報を受信するステップと、現在の位置を新しい出発地として使用して地図上の短時間予報を更新するステップとをさらに含む。
【００１４】
[0014]一実施形態によると、地図データを取得するステップは、ローカルに記憶された情報を使用して地図データを生成することを含む。
【００１５】
[0015]一実施形態によると、地図データを取得するステップは、地図要求を遠隔のサーバに転送することを含む。
【００１６】
[0016]別の態様では、ＧＰＳナビゲーション装置（ＧＰＳ）に表示される地図上に短時間予報を提供する方法が提供され、この方法は、前記ＧＰＳから、出発地及び目的地を含む場所情報と、出発地と目的地との間の所定の経路とを受信するステップと、前記経路に沿った１つ又は複数の主要地点を特定するステップと、各地点に時刻を関連付けるステップと、各主要地点の短時間予報を取得するステップと、前記ＧＰＳに関連付けられたディスプレイでユーザに表示するために、出発地と目的地との間に描画された経路に表示する前記短時間予報を転送するステップとを含む。
【００１７】
[0017]一実施形態によると、上記方法は、短時間予報を取得するために、各主要地点に関連付けられた場所情報をナウキャスターに送信するステップをさらに含む。
【００１８】
[0018]一実施形態によると、上記方法は、主要地点ごとに短時間予報が必要とされる時刻を送信するステップをさらに含む。
【００１９】
[0019]一実施形態によると、時刻を送信するステップは、現在の時刻を送信することを含む。
【００２０】
[0020]別の実施形態によると、時刻を送信するステップは、現在の位置を出発したユーザが所与の主要地点に到着する時刻を表す到着時刻を推定することを含む。
【００２１】
[0021]一実施形態によると、到着時刻を推定することは、出発時刻、気象条件、速度制限、現在の速度、及び現在の位置と主要地点との間の距離、の少なくとも１つに基づく。
【００２２】
[0022]一実施形態によると、上記方法は、地図が表示されるＧＰＳの現在の位置を表す更新された位置情報を受信するステップと、現在の位置を新しい出発地として使用して地図上の短時間予報を更新するステップとをさらに含む。
【００２３】
[0023]定義
【００２４】
[0024]ナウキャスター（ｎｏｗｃａｓｔｅｒ）は、地球上の非常に狭い領域（５メートル、１０メートル、５０メートル、１００メートル、５００メートル、１０００メートル等）についての非常に短期間の予報（例えば１分、５分、１５分、３０分等）を作成する天気予報装置である。
【００２５】
[0025]気象に関連する観測結果は、画像、映像、自由形式のテキスト（ツイート、メッセージ、電子メール等）や、温度、気圧、視程、降水の種類及び強度、積雪、雲量、風などの任意種類の気象値である。
【００２６】
[0026]気象関連事象は、例えば、雹、突風、稲妻、温度変化等の少なくとも１つである。
【００２７】
[0027]地点観測は、本明細書の定義では、所与の時間に特定の位置（「場所」と呼ぶこともある）で行われる観測である。
【００２８】
[0028]特定の位置は、観測が行われる地球上の位置である。本明細書に記載される実施形態には５メートル〜１０メートルの精度が適するが、位置の変化量は、２５メートル、５０メートル、１００メートル、１０００メートル又はそれ以上など、より大きくすることもできる（すなわち精度がより低くなる）。特定の位置を取得する手段には、本特許出願の出願時に利用することができる任意種類の地理位置特定手段又は測位システムが含まれる。地理位置特定手段又は測位システムは自動化される場合も、自動化されない場合もある。自動化された地理位置特定手段又は測位システムには、全地球測位システム、ＲＦ位置特定システム、無線標定技術、インターネットプロトコル（ＩＰ）アドレス、ＭＡＣアドレス、ＷｉＦｉ、無線周波識別（ＲＦＩＤ）等が含まれる。測位システムは、街路上の所在地、交差点、建物や目印となる物等を提供するなど、人手によることもできる。
【００２９】
[0029]所与の時間は、特定の位置に対応する時間帯で地点観測が行われる、時、分、及び秒と定義される。所与の時間の時、分、及び秒は、所与の時間がその特定の位置に依存しないように、協定世界時（ＵＴＣ）やグリニッジ標準時（ＧＭＴ）に従って記録することもできる。所与の時間の精度は、１秒よりも大きく、又は１秒よりも小さくすることもできる。例えば、実施形態によっては、５秒、１０秒、３０秒、６０又はそれ以上の精度で、本明細書に記載される実施形態には十分である場合もある。
【００３０】
[0030]ユーザは、天気予報が転送される対象の人又は装置である。
【００３１】
[0031]観測者は、自動化された観測結果及び／又は人手による観測結果を提供するエンティティである。観測者は、人間である場合も、自動化された機械である場合もある。観測者は、本明細書で定義されるようにユーザである場合もある。
【００３２】
[0032]グリッド画像は、緯度及び経度の座標を含む画像である。したがって、グリッド画像は、地理位置が特定された２次元の点／画素の集まりである。
【００３３】
[0033]グリッド画像中の各画素は１つの位置に対応し、単一の気象値を表すことも、値の確率分布を表すことも、信頼度を表すこともできる。
【００３４】
[0034]本発明の主題の特徴及び利点は、添付図面に示される選択された実施形態についての以下の詳細な説明からより明らかになろう。認識されるように、本明細書に開示され、請求される主題は、すべて特許請求の範囲から逸脱することなく、各種の点で変更を加えることができる。したがって、図面及び説明は例示的な性質であって制限的ではなく、主題の完全な範囲は特許請求の範囲に述べられる。
【００３５】
[0035]添付図面と併せて以下の詳細な説明を読むことにより、本開示のさらに他の特徴及び利点が明らかになろう。
【図面の簡単な説明】
【００３６】
【図１】地図上の経路に沿って短時間予報を表示するシステムのブロック図である。
【図２】実施形態を実装するのに適したナウキャスターのブロック図である。
【図３ａ】地図生成モジュールから返される地図及び経路案内の例を示す図である。
【図３ｂ】地図生成モジュールから返される地図及び経路案内の例を示す図である。
【図３ｃ】地図生成モジュールから返される地図及び経路案内の例を示す図である。
【図４】ＧＰＳナビゲーション装置の例を示す図である。
【図５ａ】経路及びその経路に沿った複数の主要地点についての複数の短時間予報を表示する地図の例を示す図である。
【図５ｂ】経路及びその経路に沿った複数の主要地点についての複数の短時間予報を表示する地図の例を示す図である。
【図６】実施形態を実施することが可能なネットワーク環境の例の図である。
【図７】実施形態を実施することができる別のネットワーク環境の例の図である。
【図８】一実施形態による、コンピュータによって実施される、地図を生成する方法のフローチャートである。
【図９】本発明の実施形態を実施することができる適切なコンピューティング動作環境の例示的な図である。
【詳細な説明】
【００３７】
[0045]すべての添付図面で、同様の特徴は同様の参照符号で識別されることに留意されたい。
【００３８】
[0046]以下に本願の一部をなす添付図面を参照して実施形態をより完全に説明するが、添付図面には、実施形態を実施することができる特定の実施形態を例示として示す。それらの実施形態は、本開示が当業者に本発明の範囲を伝えるようにも説明される。ただし、それらの実施形態は、多数の異なる形態で具現化することも可能であり、本明細書に述べられる実施形態に限定されるものとは解釈すべきでない。
【００３９】
[0047]本発明の実施形態は特に方法又は装置として具現化することができる。したがって、実施形態は、完全にハードウェアによる実施形態、完全にソフトウェアによる実施形態、及びソフトウェアとハードウェアの態様を組み合わせた実施形態等の形態を取ることができる。さらに、実施形態については携帯型又は手持ち型の装置を参照して説明するが、デスクトップ、ラップトップコンピュータ、タブレット装置、又はそれらの実施形態を実装するのに十分な演算資源を有する他のコンピューティング装置上で実装することもできる。
【００４０】
[0048]簡単に述べると、ここで説明する実施形態は地図上の経路に沿って短時間予報を表示するシステム及び方法を記載する。システムは、出発地及び目的地を含む地図要求をユーザから受信し、目的地と出発地の間の経路を含む地図データを取得する。ナウキャスターを使用して、経路に沿ったいくつかの主要地点についての短時間予報を出力する。システムは、各主要地点に関連付けられた短時間予報の視覚的標識を含むように地図データに変更を加えて、変更後の地図データがディスプレイで実行された時に出発地と目的地の間の経路に沿って短時間予報が表示されるようにする。
【００４１】
[0049]図１は、地図上の経路に沿って短時間予報を表示するシステム３００のブロック図である。図１に示すように、システム３００は、ナウキャスター２００（短時間予報を生成するシステムとも呼ばれる）、地図生成モジュール３１０、及び、地図生成モジュール３１０とナウキャスター２００の間で通信して、経路沿いのいくつかの主要地点の短時間予報を表示した地図を出力するインテリジェンスモジュール３１２を備える。
【００４２】
[0050]ナウキャスター
【００４３】
[0051]図２は、２０１３年４月４日に出願された、本願の出願人に共有され、共同で発明された米国特許出願第１３／８５６９２３号に記載されるナウキャスターなどの適切なナウキャスター２００のブロック図である。
【００４４】
[0052]図２に示すように、ナウキャスター２００は、種々のデータ源２０１から気象観測結果を受け取り、これらのデータ源は、これらに限定されないが、地点観測２０１−２（例えばユーザや自動ステーションから得られるフィードバック）、気象レーダ２０１−３、衛星２０１−４、及び他の種類の気象観測２０１−１を含む気象観測データ源と、数値気象予測（ＮＷＰ）モデルの出力２０１−５や天気予報及び注意報２０１−６などの天気予報データ源などである。
【００４５】
[0053]一実施形態では、ナウキャスター２００は、ＰＴｙｐｅ分布予想器２０２及びＰＲａｔｅ分布予想器２０４を備える。ＰＴｙｐｅ予想器２０２は、種々のデータ源２０１から気象観測結果を受け取り、所与の緯度及び経度（並びに／又は場所）について任意の時間間隔にわたる降水種類の確率分布を出力する。非制限的な一例では、出力は例えば次のようになる。
１）雪：１０％
２）雨：３０％
３）雨氷：６０％
４）雹：０％
５）凍雨：０％
【００４６】
[0054]当業者には明らかであるように、上記の例以外に様々なカテゴリの種類及び数がある可能性がある。
【００４７】
[0055]同様に、ＰＲａｔｅ予想器２０４は種々のデータ源２０１から所与の経度及び緯度についての気象観測結果を受け取り、不確実性を表す表現で降水量の確率分布の予想（ＰＲａｔｅ）を出力する。例えば、ＰＲａｔｅは、所与の経度及び緯度についての一定の時間間隔にわたる降水量又は降水量の範囲の確率分布として出力される。非制限的な一例では、ＰＲａｔｅは例えば次のようになる。
１）降水なし：３０％
２）弱い降水：４０％
３）中程度の降水：２０％
４）強い降水：１０％
【００４８】
[0056]当業者には明らかであるように、上記の例以外に様々なカテゴリの種類及び数がある可能性がある。
【００４９】
[0057]ＰＲａｔｅ予想器２０４及びＰＴｙｐｅ予想器２０２から出力されたＰＲａｔｅ及びＰＴｙｐｅの値は予想組合せ器２０６に送られて、それらの値を組み合わせて、降水の結果を表す単一の値ＰＴｙｐｅＲａｔｅにする。例えば、ＰＴｙｐｅの値が「雪」で、「ＰＲａｔｅ」の値が「強い」であれば、組み合わせられたＰＴｙｐｅＲａｔｅの値は「強い雪」になる。
【００５０】
[0058]所与の緯度及び経度について、本システムは、所定の時間間隔にわたる予想ＰＴｙｐｅＲａｔｅ分布を出力し、時間間隔は、固定（例えば１分）、又は可変（例えば１分、次いで５分、次いで１０分等）である。システムは、一連の時間間隔における予想ＰＴｙｐｅＲａｔｅ分布を予め計算して記憶しておくことも、その場で計算することもできる。ＰＴｙｐｅＲａｔｅの分布は、時間間隔ごとに、あるＰＴｙｐｅＲａｔｅが発生する確実性又は不確実性を表す。
【００５１】
[0059]図２を参照すると、予想組合せ器２０６は、ＰＴｙｐｅ予想器２０２から最終的なＰＲａｔｅの分布を、ＰＲａｔｅ予想器２０４から最終的なＰＲａｔｅの分布を受け取って、それらを組み合わせてＰＴｙｐｅＲａｔｅ分布値のグループにし、各グループは、ある降水量である種類の降水を受ける確率を表す。一例を以下に提供する。
【００５２】
[0060]ＰＴｙｐｅ分布が、雪：５０％、雨０％、雨氷：３０％、雹０％、凍雨２０％で、ＰＲａｔｅ分布が、降水なし：０％、弱い：１０％、中程度：２０％、強い：３０％、非常に強い：４０％であるとすると、ＰＴｙｐｅＲａｔｅ分布は例えば次のようになる。
【００５３】
[0061]
【表１】
2019003184.tif 000003
【００５４】
[0062]したがって、予想組合せ器２０６は各種類の降水の確率に各降水量の確率を乗算して、例えば２０％の強い雪の可能性、１２％の非常に強い雨氷の可能性など、ある降水量である種類の降水を受ける確率を得る。一実施形態では、確率の範囲にテキスト情報を関連付けて、確率を数字で表示する代わりに、テキスト情報をユーザに表示することができる。例えば、５％〜１５％の間の確率は「低い可能性」というテキストに関連付け、４０％〜７０％の間の確率は「高い可能性」又は「非常に見込みが高い」等のテキストに関連付け、それにより「６０％の強い雪の可能性」と表示する代わりに、「強い雪の可能性が高い」と表示することができる。
【００５５】
[0063]別の実施形態では、１つ又は複数の次元（次元は降水量、種類、又は確率を含む）に沿って２つ以上の異なるＰＴｙｐｅＲａｔｅを組み合わせることが可能である。例えば、そのような組合せの結果には、弱い雨から中程度の雨の見込みが高い、弱い雨又は雪から中程度の雨又は強い雪の見込みが高い、中程度の雨又は雪の見込みが高い、雨又は雪の見込みが高い、弱い雨から中程度の雨又は強い雪又は弱い雹の可能性がある、中程度の雨、雪、又は雹の可能性がある、雨、雪、又は雹の可能性がある、等が含まれる可能性がある。
【００５６】
[0064]したがって、ナウキャスター２００は、短時間予報が必要とされる場所、並びに短時間予報が必要とされる時刻及び／又は時間間隔を受け取り、その場所及び特定の時刻についてのＰｔｙｐＲａｔｅの分布を出力する。
【００５７】
[0065]ナウキャスター２００には別の実施形態が可能である。この実施形態では、ナウキャスターは、ＰＴｙｐｅ選択器／受信器、及びＰＲａｔｅ分布予想器を有する。図２に示す実施形態と同様に、ＰＲａｔｅ分布予想器は、種々のデータ源から所与の緯度及び経度についての気象観測結果を受け取り、不確実性を表す表現で降水量（ＰＲａｔｅ）の確率分布の予想を出力する。例えば、ＰＲａｔｅは、所与の緯度及び経度における任意の時間間隔にわたる降水量又は降水量の範囲の確率分布として出力することができる。非制限的な一例では、ＰＲａｔｅは例えば次のようになる。
１）降水なし：３０％
２）弱い降水：４０％
３）中程度の降水：２０％
４）強い降水：１０％
【００５８】
[0066]当業者には明らかであるように、上記の例以外に様々なカテゴリの種類及び数がある可能性がある。
【００５９】
[0067]ただし、ＰＴｙｐｅ選択器／受信器は、種々の降水種類に関連付けられた確率分布は出力しない。代わりに、ＰＴｙｐｅ選択器／受信器は、所与の緯度及び経度に対応する気象観測結果を種々のデータ源から受け取って、様々な降水種類の一覧から１つの降水種類を選択する。例えば、データ源から受け取った入力に基づいて、ＰＴｙｐｅ選択器／受信器は、下記の降水種類の一覧から、当該の緯度及び経度（並びに／又は場所）で発生する可能性が最も高い単一の降水種類を選択する。
１）雪
２）雨
３）雨氷
４）雹
５）凍雨
６）それらの混合（例えばａ＋ｃ、ａ＋ｄ、ｂ＋ｃ、ａ＋ｅ、ｃ＋ｅ、ｄ＋ｅ等）
【００６０】
[0068]上記のような降水種類の一覧から、所与の場所に対して１つのみの降水種類が選択される。例えば、所与の時間に所与の場所で最も可能性の高い降水種類として雪と雨氷の混合が選択される可能性がある。降水種類は確率値には関連付けられない。つまり、任意の場所とその場所に対応する時間について１つだけの降水種類が選択されるので、選択された降水種類は実質的に１００％の確率値を有することになる。
【００６１】
[0069]１つの種類を選択するために利用できる降水種類の一覧は、２つの異なる降水種類（例えば雪と雨氷、雹と凍雨等）の混合を表す混合タイプを含むことができる。混合タイプは、選択することが可能な独立した降水種類と考えられ、上記一覧の（ｆ）に示すように、様々な降水種類の異なる組の混合を表す異なる混合タイプは、多数存在する可能性がある。
【００６２】
[0070]別の実施形態では、降水の種類はＰＴｙｐｅ選択器／受信器によって選択されるのではなく、ナウキャスターの外部にあるデータ源から受け取られる。言い換えると、ナウキャスター２００は、遠隔のデータ源（例えば第三者の気象サービス）に、所与の時間に所与の場所で発生する可能性が最も高い降水種類を特定することを要求し、最も可能性の高い降水種類を特定する応答をデータ源から受け取ることができる。この場合、降水種類の選択はナウキャスターによっては行われない。ナウキャスターには単に既に選択された降水種類が入力され、それにより、選択を行う場合に必要となるナウキャスターの演算力を節減することができる。
【００６３】
[0071]それぞれＰＴｙｐｅ選択器／受信器及びＰＲａｔｅ分布予想器から出力された、選択された降水種類とＰＲａｔｅ値が組み合わせられる。例えば、選択された降水の種類が雪で、ＰＲａｔｅ値が上記のような値である場合、組み合わせた情報は次のようになる。
１）降雪なし：３０％
２）弱い雪：４０％
３）中程度の雪：２０％
４）強い雪：１０％
【００６４】
[0072]関係する降水種類が１つのみであるため、組合せを行って最終的な天気予報データを出力するために必要とされる演算力が最小量で済む。ＰＴｙｐｅ選択器／受信器は所与の場所と時間について一つ（１）の降水種類を出力するので、ＰＲａｔｅ分布予想器がｍ個の数の確率分布を出力した場合、最終的な天気予報データはｍ（ｍ＊１）個のみの天気予報分布を含む。
【００６５】
[0073]最終的な天気予報データを出力する際に、図２に示した実施形態と同様に、確率の範囲にテキスト情報を関連付けて、確率を数で表示する代わりにテキスト情報をユーザに表示することができる。例えば、５％〜１５％の確率は「低い可能性」というテキストに関連付け、４０％〜７０％の確率は「高い可能性」又は「非常に高い見込み」などのテキストに関連付け、それにより、「６０％の強い雪の可能性」と表示する代わりに、「強い雪の可能性が高い」と表示することができる。当業者には認識されるように、本明細書で提供する例以外に多数の変形例がある可能性がある。
【００６６】
[0074]したがって、ナウキャスターは、短時間予報が必要とされる場所、並びに短時間予報が必要とされる時間及び／又は時間間隔を受け取り、その場所及び特定の時間について、選択されたＰＴｙｐｅ及びＰＲａｔｅの分布を出力する。
【００６７】
[0075]ナウキャスターのこの別の実施形態によるナウキャスターは、効率性が要求される状況では図２に示す実施形態よりも有利である可能性がある。この別の実施形態は、図２の実施形態に比べてはるかに少ない処理力を使用して実装することができる。しかし、図２の実施形態は、所与の場所及び時間についてのより詳細で正確な天気予報データのスナップショットを提供することにおいては上記の別の実施形態よりも適する可能性がある。
【００６８】
[0076]地図生成モジュール
【００６９】
[0077]地図生成モジュール３１０は、経路及び経路案内を生成するウェブベースのモジュール及び／又はＧＰＳベースのモジュールである。
【００７０】
[0078]そのようなウェブベースのモジュールの例には、マップクエスト（ＭａｐＱｕｅｓｔ）（商標）、ヤフー（Ｙａｈｏｏ）（商標）マップ、グーグル（Ｇｏｏｇｌｅ）（商標）マップ等がある。この種のモジュールでは、生成又は経路及び／若しくは地図に関するデータは、インターネットなどの遠隔通信ネットワーク２５４を介してアクセスできる遠隔のサーバ２５０に記憶される。これらのモジュールを使用して、ユーザは、特定の場所、例えば市、町、国、街路の地図を見ることを要求し、及び／又は、第１の場所Ａから第２の場所への経路案内を要求することができ、それに対してモジュールは、図３ａに示すようにＡからＢに移動するための経路案内のリスト、及び／又は図３ｂに示すように地図に描画された経路を返すことができる。一実施形態では、地図生成モジュール３１０は、図３ｃに例示するように、ユーザが選択するための経路の１つ又は複数の選択肢を提供することができる。
【００７１】
[0079]別の実施形態では、サーバ２５０から、実施形態が実施されるコンピューティング装置にデータをダウンロード及び／又はプッシュすることができ、したがって、遠隔のサーバ２５０にアクセスすることなく経路及び／又は地図を表示することができる。
【００７２】
[0080]一実施形態では、地図生成モジュール３１０は、衛星３３２への接続を使用してユーザの現在の位置を判定するＧＰＳナビゲーション装置３３０も含むことができる。ＧＰＳ装置は、アイフォーン（ＩＰｈｏｎｅ）（商標）等の携帯型装置に内蔵される場合もある。別の例では、ＧＰＳナビゲーション装置３３０は、ガーミン（Ｇａｒｍｉｎ）（商標）やマジェラン（Ｍａｇｅｌｌａｎ）（商標）等によって製造される装置のシリーズなどの手持ち型のＧＰＳナビゲーション装置に内蔵される場合もある。その一例を図４に示す。
【００７３】
[0081]インテリジェンスモジュール
【００７４】
[0082]一実施形態では、インテリジェンスモジュール３１２は、場所Ａ及びＢの識別、出発時刻、及び短時間予報が必要とされる場所に関するユーザの嗜好などのユーザの入力を受け取るためにユーザインターフェースに結合することができる。
【００７５】
[0083]インテリジェンスモジュール３１２は、場所Ａ及びＢの識別を地図生成モジュール３１０に転送し、それに対して、図３ｂに例示するようなＡとＢ間の経路が描画された地図を受け取る。
【００７６】
[0084]ユーザの嗜好に基づいて、インテリジェンスモジュール３１２は経路に沿った主要地点を特定する／受け取ることができる。例えば、ユーザは、経路にある主要都市の短時間予報や、例えば３０ｋｍ刻みの短時間予報を見ること等を選択することができる。インテリジェンスモジュール３１２は、各主要地点に関連付けられた場所情報を、時刻又は時間間隔と共にナウキャスター２００に送る。それに対して、インテリジェンスモジュール３１２はナウキャスター２００から短時間予報を受け取り、図５ａに例示するように、これら短時間予報の一部又はすべて（ディスプレイの解像度及びサイズ、並びにズームレベルによる）を、地図生成モジュール３１０から受け取った地図に追加する。
【００７７】
[0085]一実施形態では、インテリジェンスモジュール３１２は、各主要地点の場所情報を現在の時刻と共に送信し、それにより、ユーザは経路に沿った各場所の現在の気象条件を見ることができる。
【００７８】
[0086]別の実施形態では、インテリジェンスモジュール３１２は、ユーザが所与の主要地点に到着することが予想される推定時刻を表す、各主要地点の到着時刻を推定することができる。到着時刻の推定はいくつかの要因に依存する可能性があり、それらの要因には、出発時刻（ユーザによって指定されない場合は現在の時刻と解釈される）、出発地点とそれぞれの主要地点との間の距離、地図生成モジュール３１０（又は別のデータ源）から受け取られる交通情報、気象情報、現在の速度、及び現在の場所とそれぞれの主要地点との間の経路の各区間に関連付けられた速度制限、が含まれる。
【００７９】
[0087]上記のように、地図生成モジュール３１０は様々な経路の選択肢を提供することができ、それにより、ユーザは、各主要地点に沿った気象条件を見て、ナビゲーションのために経路の１つを選択することができる。
【００８０】
[0088]一実施形態では、ユーザがＧＰＳ及び／又はウェブ対応のコンピューティング装置を使用して地図を見ている場合には、経路上でのユーザの進行と気象条件の変化に基づいて地図上で短時間予報を更新することができる。
【００８１】
[0089]一実施形態では、短時間予報は、図５ｂに例示するように、各短時間予報に関連付けられた時刻／時間間隔と共に地図上に提供することができる。一実施形態では、地図に表示される時刻は、現在の位置、速度、並びに気象条件及び交通条件に基づいてインテリジェンスモジュール３１２によって推定される推定到着時刻である。
【００８２】
[0090]図６は、実施形態を実施することができるネットワーク環境の例である。ナウキャスター２００は、遠隔通信ネットワーク２５４を通じて複数のクライアントコンピュータ２５２からアクセスすることができるサーバ２５０で実装することができる。クライアントコンピュータ２５２は、これらに限定されないが、ラップトップ、デスクトップ、携帯型コンピューティング装置、タブレット等を含むことができる。クライアントコンピュータ２５２を使用して、各ユーザは、２つの場所の間の経路案内、及び好ましくは出発の時刻を入力することができる（出発の時刻が入力されない場合は代わりに現在の時刻が使用される）。その情報は、遠隔通信ネットワーク２５４を通じて遠隔のサーバ２５０に送信される。サーバ２５０は、経路上の特定の主要地点の短時間予報と併せて、場所ＡからＢへの経路を含む地図と共に経路案内のリストを返す。サーバは、図２との関連で述べたように遠隔通信ネットワーク２５４を通じて気象データ源２０１にアクセスする。サーバ２５０は、サーバ２５０に地理データを記憶しておくことができ、また第３のエンティティによって提供される地図データ源３２０にアクセスすることもできる。
【００８３】
[0091]クライアントコンピュータ２５２はＧＰＳ対応であることが好ましい。その場合、コンピューティング装置は、上記のように経路に沿った短時間予報を更新するためにサーバ２５０に更新を提供することができる。
【００８４】
[0092]図７は、短時間予報を提供する方法の実施形態を実施することができる別のネットワーク環境の例である。この実施形態では、ユーザは、ＧＰＳナビゲーション装置で目的地を入力し、地図を見る。ＧＰＳナビゲーション装置は出発地を現在の位置と解釈する。現在の位置と最終的な目的地を、衛星３３２によって選択された所定の経路と共に、衛星３３２を介してサーバ２５０に送ることができる。サーバ２５０で実装されるインテリジェンスモジュール３１２は、経路に沿った主要地点の短時間予報を返すことができ、短時間予報と主要地点の識別をＧＰＳナビゲーション装置３３０に送信して、ＧＰＳナビゲーション装置３３０のディスプレイに表示される地図に加えることができる。
【００８５】
[0093]図８は、コンピュータによって実施される、地図を生成する方法８００を説明する図である。方法８００は、出発地及び目的地を含む地図要求を受信するステップ８１０を含む。地図要求８１０を受信するのに応答して、コンピュータによって実施される方法８００は、表示装置で実装されたとき出発地と前記目的地の間に描画された経路を含む地図の表示８３０を表示装置に表示させる地図データ８２０を取得するステップを含む。方法８００は、経路に沿った１つ又は複数の主要地点の短時間予報を取得し８４０、地図に描画される経路の各主要地点の短時間予報のうち１つを表現する８５０ために地図データ８２０に変更を加える（視覚的標識を追加することを含む）ステップも行う。コンピュータによって実施される方法８００は、最終的に、ユーザに表示する８６０ために変更後の地図データを出力する。
【００８６】
[0094]ハードウェア及び動作環境
【００８７】
[0095]図９は、本発明の実施形態を実施することが可能な適切なコンピューティング動作環境の例示的図である。以下の説明は図９に関連し、実施形態をそれとの関連で実装することができる適切なコンピュータハードウェア及び適切なコンピューティング環境の簡単で一般的な説明を提供するものである。上記実施形態を実施するためにすべての構成要素が必須であるとは限らず、実施形態の主旨又は範囲から逸脱することなく構成要素の配置と種類の変種を作製することができる。
【００８８】
[0096]これは必須ではないが、実施形態は、パーソナルコンピュータ、手持ち型若しくは手のひらサイズのコンピュータ、スマートフォン、又は消費者装置や特殊な産業用コントローラの内部にあるコンピュータなどの組み込みシステムなどのコンピュータによって実行される、プログラムモジュールなどのコンピュータ実行可能命令の一般的な文脈で説明する。一般に、プログラムモジュールは、特定のタスクを行うか、又は特定の抽象データ型を実装する、ルーチン、プログラム、オブジェクト、構成要素、データ構造等を含む。
【００８９】
[0097]さらに、当業者には、実施形態は他のコンピュータシステム構成で実施することもでき、そのような構成には、手持ち型装置、マルチプロセッサシステム、マイクロプロセッサを利用した、若しくはプログラム可能な消費者電気製品、ネットワークＰＣ、ミニコンピュータ、メインフレームコンピュータ、携帯電話、スマートフォン、ディスプレイページャ、無線周波（ＲＦ）装置、赤外線（ＩＲ）装置、携帯情報端末（ＰＤＡ）、ラップトップコンピュータ、着用可能コンピュータ、タブレットコンピュータ、Ａｐｐｌｅ  Ｃｏｍｐｕｔｅｒ社製造のＩＰＯＤ若しくはＩＰＡＤ系列の装置、上記装置の１つ若しくは複数を組み合わせた総合装置、又は、本明細書に記載される方法及びシステムを行うことが可能な他のコンピューティング装置が含まれることが理解されよう。実施形態は、通信ネットワークで結ばれた遠隔の処理装置によって作業が行われる分散コンピューティング環境で実施することもできる。分散コンピューティング環境では、プログラムモジュールは、ローカル及びリモート両方のメモリ記憶装置に置くことができる。
【００９０】
[0098]図９の例示的なハードウェア及び動作環境は、コンピュータ７２０の形態の汎用コンピューティング装置を含み、これは、処理装置７２１、システムメモリ７２２、及び、システムメモリを含む各種のシステム構成要素を動作的に処理装置７２１に結合するシステムバス７２３を含む。処理装置７２１は１つのみ、又は２つ以上ある場合があり、コンピュータ７２０のプロセッサは、単一の中央演算処理装置（ＣＰＵ）、又は一般に並列処理環境と呼ばれる複数の処理装置を備える。コンピュータ７２０は、従来のコンピュータ、分散コンピュータ、又は他の種類のコンピュータであるが、実施形態はそれらに限定されない。
【００９１】
[0099]システムバス７２３は、各種のバスアーキテクチャを使用した、メモリバス又はメモリコントローラ、周辺バス、及びローカルバスを含む数種のバス構造のいずれであってもよい。システムメモリは単にメモリと呼ばれる場合もあり、読出し専用メモリ（ＲＯＭ）７２４及びランダムアクセスメモリ（ＲＡＭ）７２５を含む。起動時などにコンピュータ７２０内の要素間の情報転送を助ける基本ルーチンを含んでいる基本入出力システム（ＢＩＯＳ）７２６がＲＯＭ７２４に記憶される。本発明の一実施形態では、コンピュータ７２０は、図示しないハードディスクの読み書きを行うハードディスクドライブ７２７、取り外し可能の磁気ディスク７２９の読み出し又は書き込みを行う磁気ディスクドライブ７２８、及び、ＣＤ  ＲＯＭや他の光学媒体などの取り外し可能の光ディスク７３１の読み出し又は書き込みを行う光ディスクドライブ７３０をさらに含む。本発明の代替実施形態では、ハードディスクドライブ７２７、磁気ディスク７２９、及び光ディスクドライブ７３０によって提供される機能は、電力を節減し、システムのサイズを縮小するために、揮発性又は不揮発性のＲＡＭを使用して模倣される。これらの代替実施形態では、ＲＡＭは、コンピュータシステム内に固定されるか、又はコンパクトフラッシュメモリカードなど取り外し可能なＲＡＭ装置とすることができる。
【００９２】
[00100]本発明の一実施形態では、ハードディスクドライブ７２７、磁気ディスクドライブ７２８、及び光ディスクドライブ７３０は、それぞれハードディスクドライブインターフェース７３２、磁気ディスクドライブインターフェース７３３、及び光ディスクドライブインターフェース７３４でシステムバス７２３に接続される。これらのドライブとそれに関連付けられたコンピュータ読取り可能媒体は、コンピュータ７２０のコンピュータ可読命令、データ構造、プログラムモジュール、及び他のデータの不揮発性の記憶を提供する。当業者には、磁気カセット、フラッシュメモリカード、デジタルビデオディスク、ベルヌーイカートリッジ、ランダムアクセスメモリ（ＲＡＭ）、読出し専用メモリ（ＲＯＭ）等、コンピュータによりアクセス可能なデータを記憶することができる任意種類のコンピュータ読取り可能媒体を例示的な動作環境で使用できることが理解されよう。
【００９３】
[00101]ハードディスク、磁気ディスク７２９、光ディスク７３１、ＲＯＭ７２４、又はＲＡＭ７２５にはいくつかのプログラムモジュールを記憶することができ、それらにはオペレーティングシステム７３５、１つ又は複数のアプリケーションプログラム７３６、他のプログラムモジュール７３７、及びプログラムデータ７３８が含まれる。ユーザは、キーボード７４０やポインティングデバイス７４２などの入力装置を通じてパーソナルコンピュータ７２０にコマンドと情報を入力することができる。他の入力装置（図示せず）には、マイクロフォン、ジョイスティック、ゲームパッド、衛星受信アンテナ、スキャナ、タッチセンシティブパッド等がある。上記及び他の入力装置は多くの場合、システムバスに結合されたシリアルポートインターフェース７４６を通じて処理装置７２１に接続されるが、パラレルポート、ゲームポート、又はユニバーサルシリアルバス（ＵＳＢ）等の他のインターフェースで接続することもできる。また、システムへの入力は、音声入力を受け取るマイクロフォンで提供することができる。
【００９４】
[00102]モニタ７４７又は他の種類の表示装置も、ビデオアダプタ７４８などのインターフェースを介してシステムバス７２３に接続される。本発明の一実施形態では、モニタは液晶ディスプレイ（ＬＣＤ）からなる。モニタに加えて、コンピュータは通例、スピーカやプリンタなどの他の周辺出力装置（図示せず）も含む。モニタは、ユーザが表面を押す、又は表面に触れることによってコンピュータとインターフェースを取ることができるタッチセンシティブ面を含むことができる。
【００９５】
[00103]コンピュータ７２０は、リモートコンピュータ７４９などの１つ又は複数のリモートコンピュータへの論理接続を使用するネットワーク環境で動作することができる。そのような論理接続は、コンピュータ７２０に結合された、又はコンピュータ７２０の一部である通信装置によって実現されるが、実施形態は特定種類の通信装置には限定されない。リモートコンピュータ７４９は、別のコンピュータ、サーバ、ルータ、ネットワークＰＣ、クライアント、ピアデバイス、又は他の一般的なネットワークノード等であり、図６にはメモリ記憶装置７５０のみを示すが、通例は、コンピュータ７２０との関連で上述した要素の多く又はすべてを含む。図６に示す論理接続は、ローカルエリアネットワーク（ＬＡＮ）７５１及びワイドエリアネットワーク（ＷＡＮ）７５２を含む。このようなネットワーキング環境は、オフィス、企業規模のコンピュータネットワーク、イントラネット、及びインターネットで広く見られる。
【００９６】
[00104]ＬＡＮネットワーキング環境で使用される場合、コンピュータ７２０は、通信装置の一種であるネットワークインターフェース又はアダプタ７５３を通じてローカルネットワーク７５１に接続される。ＷＡＮネットワーキング環境で使用される場合、コンピュータ７２０は通例、通信装置の一種であるモデム７５４、又はインターネットなどのワイドエリアネットワーク７５２を通じて通信を確立するための他の種類の通信装置を含む。モデム７５４は、内蔵型である場合も外付け型である場合もあり、シリアルポートインターフェース７４６を介してシステムバス７２３に接続される。ネットワーク環境では、パーソナルコンピュータ７２０に関連して図示するプログラムモジュール又はその一部は、遠隔のメモリ記憶装置に記憶することができる。図のネットワーク接続は例示的なものであり、コンピュータ間に通信リンクを確立する他の手段及び通信装置を使用できることが認識される。
【００９７】
[00105]本発明の実施形態をそれとの関連で実施することができるハードウェア及び動作環境について説明した。本発明の実施形態をそれとの関連で実施することができるコンピュータは、従来のコンピュータ、手持ち型若しくは手のひらサイズのコンピュータ、組み込みシステム中のコンピュータ、分散コンピュータ、又は他の種類のコンピュータ等であるが、本発明はそれらに限定されない。そのようなコンピュータは通例、１つ又は複数の処理装置をプロセッサとして含み、またメモリなどのコンピュータ読取り可能媒体を含む。コンピュータはネットワークアダプタやモデムなどの通信装置も含む場合があり、通信的に他のコンピュータに結合することができる。
【００９８】
[00106]上記で好ましい実施形態について説明し、添付図面に示したが、本開示から逸脱することなく変更を加えることが可能であることは当業者には明瞭であろう。そのような変更は、本開示の範囲に包含される、可能な変形と考えられる。
（追加の実施形態）
［実施形態１］
天気予報を含む地図を生成するための、コンピュータによって実施される方法であって、
出発地及び目的地を含む地図要求を受信するステップと、
前記地図要求を受信するのに応答して、表示装置で実装されたとき、前記出発地と前記目的地の間に描画された経路を含む地図の少なくとも一部を前記表示装置に表示させる地図データを取得するステップと、
前記経路に沿った１つ又は複数の主要地点に関連付けられた天気予報を取得するステップと、
前記経路上の主要地点に関する少なくとも１つの天気予報を表す視覚的標識を含むように前記地図データに変更を加えるステップと、
ユーザに提示するために前記変更後の地図データをコンピューティング装置に出力するステップとを含む方法。
［実施形態２］
前記天気予報を取得するために１つ又は複数の主要地点に関連付けられた場所情報をナウキャスターサーバに送信するステップをさらに含む実施形態１に記載の方法。
［実施形態３］
前記１つ又は複数の主要地点に関連付けられた時刻を前記ナウキャスターサーバに送信するステップをさらに含む実施形態２に記載の方法。
［実施形態４］
前記ナウキャスターサーバに送信される前記時刻が、現在の時刻を送信することからなる実施形態３に記載の方法。
［実施形態５］
少なくとも前記ユーザの現在の位置に基づいて、前記経路上の主要地点にユーザが到着する到着時刻を推定するステップを含む実施形態３に記載の方法。
［実施形態６］
前記到着時刻が、出発時刻、気象条件、速度制限、現在の速度、及び前記現在の位置と前記主要地点との間の距離、の少なくとも１つに基づいて決定される実施形態５に記載の方法。
［実施形態７］
前記地図が表示される前記コンピューティング装置の前記現在の位置を表す更新された位置情報を受信するステップと、
前記現在の位置を新しい出発地として使用して前記地図上の前記天気予報を更新するステップとをさらに含む実施形態６に記載の方法。
［実施形態８］
前記地図データが、ローカルに記憶された情報を使用して生成される、実施形態１〜７のいずれか一項に記載の方法。
［実施形態９］
前記地図要求が遠隔のサーバに転送され、前記地図データが前記遠隔のサーバから取得される、実施形態１〜８のいずれか一項に記載の方法。
［実施形態１０］
ナビゲーション装置に表示される地図上に短時間予報を提供するための方法であって、
前記全地球測位システム装置から、出発地及び目的地を含む場所情報と、前記出発地と前記目的地との間の所定の経路とを受信するステップと、
前記経路に沿った１つ又は複数の主要地点を特定するステップと、
各地点に時刻を関連付けるステップと、
各主要地点の短時間予報を取得するステップと、
前記全地球測位システム装置に関連付けられたディスプレイでユーザに表示するために、前記出発地と前記目的地との間に描画された前記経路に表示する前記短時間予報を転送するステップとを含む方法。
［実施形態１１］
短時間予報を取得するために、各主要地点に関連付けられた場所情報をナウキャスターに送信するステップをさらに含む実施形態１０に記載の方法。
［実施形態１２］
主要地点ごとに前記短時間予報が必要とされる時刻を送信するステップをさらに含む実施形態１１に記載の方法。
［実施形態１３］
時刻を送信するステップが現在の時刻を送信することを含む、実施形態１２に記載の方法。
［実施形態１４］
時刻を送信するステップが、現在の位置を出発した前記ユーザが所与の主要地点に到着する時刻を表す到着時刻を推定することを含む実施形態１２又は１３に記載の方法。
［実施形態１５］
前記到着時刻を推定することが、出発時刻、気象条件、速度制限、現在の速度、及び前記現在の位置と前記主要地点との間の距離、の少なくとも１つに基づく実施形態１４に記載の方法。
［実施形態１６］
前記地図が表示される前記全地球測位システム装置の現在の位置を表す更新された位置情報を受信するステップと、
前記現在の位置を新しい出発地として使用して前記地図上の前記短時間予報を更新するステップとをさらに含む実施形態１５に記載の方法。
［実施形態１７］
天気予報を含む地図を生成するための装置であって、
１つ又は複数のプロセッサと、
表示装置と、
前記１つ又は複数のプロセッサのための命令を記憶しているメモリとを備え、
前記１つ又は複数のプロセッサが前記メモリに記憶された前記命令を実行すると、前記装置に、
出発地及び目的地を含む地図要求を受信させ、
前記地図要求を受信するのに応答して地図データを取得させ、前記地図データは、表示装置で表示されて、前記出発地と前記目的地の間の経路を含む取得された地図データの少なくとも一部を表示し、
前記経路に沿った１つ又は複数の主要地点に関連付けられた短時間予報を取得させ、
前記経路上の主要地点に関連付けられた少なくとも１つの短時間予報を表す視覚的標識を含むように前記地図データに変更を加えさせ、
前記変更後の地図データを前記表示装置に表示させる、装置。
［実施形態１８］
天気予報を含む地図を生成するための装置であって、
１つ又は複数のプロセッサと、
表示装置と、
前記１つ又は複数のプロセッサの命令を記憶しているメモリとを備え、
前記１つ又は複数のプロセッサが前記メモリに記憶された前記命令を実行すると、前記装置に、
前記全地球測位システム装置から、出発地及び目的地を含む場所情報と、前記出発地と前記目的地との間の所定の経路とを受信させ、
前記経路に沿った１つ又は複数の主要地点を特定させ、
各地点に時刻を関連付けさせ、
各主要地点の短時間予報を取得させ、
前記全地球測位システム装置に関連付けられたディスプレイでユーザに表示するために、前記出発地と前記目的地との間に描画された前記経路に表示する前記短時間予報を転送させる、装置。
［実施形態１９］
サーバと、通信ネットワークを介して前記サーバに接続されている遠隔の装置とを具備するシステムであって、
前記サーバは、コンピュータと、前記コンピュータのための命令を記憶している非一時的なコンピュータ読取り可能媒体とを備え、前記命令が前記コンピュータによって実行されると、前記サーバに、
出発地及び目的地を含む情報と、前記出発地と前記目的地の間の所定の経路とを前記遠隔の装置から受信させ、
前記経路に沿った１つ又は複数の主要地点を特定させ、
各地点に時刻を関連付けさせ、
各主要地点の短時間予報を取得させ、
前記短時間予報を前記遠隔の装置に転送させ、
前記遠隔の装置は、１つ又は複数のプロセッサと、ディスプレイと、前記１つ又は複数のプロセッサのためのプログラムを含んでいる非一時的な媒体とを備え、前記プログラムが前記１つ又は複数のプロセッサによって実行されると、前記遠隔の装置に、
前記サーバから前記短時間予報を取得させ、
少なくとも前記サーバから取得した前記短時間予報に基づいて前記出発地と前記目的地との間の第２の経路を決定させ、
前記第２の経路の少なくとも一部を前記ディスプレイに表示させる、システム。
［実施形態２０］
実施形態１〜１６のいずれか一項に記載のステップを含む命令を記憶している非一時的なコンピュータ読取り可能媒体。 
【図１】
2019003184.tif 000004
【図２】
2019003184.tif 000005
【図３ａ】
2019003184.tif 000006
【図３ｂ】
2019003184.tif 000007
【図３ｃ】
2019003184.tif 000008
【図４】
2019003184.tif 000009
【図５ａ】
2019003184.tif 000010
【図５ｂ】
2019003184.tif 000011
【図６】
2019003184.tif 000012
【図７】
2019003184.tif 000013
【図８】
2019003184.tif 000014
【図９】
2019003184.tif 000015
【外国語明細書】
2019003184000001.pdf